(57)【要約】【課題】書類や郵便物などのセキュリティを必要とする文書情報を塗り潰して保護するセキュリティ文書情報保護用ラインマーカー具の提供を図る。【解決手段】書類や郵便物などのセキュリティを必要とする文書情報を保護する全体形状が平面方形体で形成される塗り潰し専用のラインマーカー具であって、前記ラインマーカー具は、キャップ体と、筆記体と、保持体と、で構成され、前記キャップ体は、開口部内側には前記保持体の係合受け部に係合する係合部を設けて成り、前記筆記体は、平面方形体を形成する上面と、底面と、側面と、が先端部に向かってテーパ状に縮形する上面筆記部と、底面筆記部と、側面筆記部と、を形成して成り、前記保持体は、先端部には前記筆記体を突設すると共に前記キャップ体に係合する係合受け部を設け、内側には前記筆記体を含侵するインク充填部を内蔵し、後端部には前記キャップ体の係合部が被嵌される被嵌部を設けて成る手段を採る。【選択図】図４
2011183816.tif 000002
【特許請求の範囲】
【請求項１】
書類や郵便物などのセキュリティを必要とする文書情報を保護する全体形状が平面方形体で形成される塗り潰し専用のラインマーカー具であって、
前記ラインマーカー具は、
キャップ体と、筆記体と、保持体と、で構成され、
前記キャップ体は、
開口部内側には前記保持体の係合受け部に係合する係合部を設けて成り、
前記筆記体は、
平面方形体を形成する上面と、底面と、側面と、が先端部に向かってテーパ状に縮形する上面筆記部と、底面筆記部と、側面筆記部と、を形成して成り、
前記保持体は、
先端部には前記筆記体を突設すると共に前記キャップ体に係合する係合受け部を設け、
内側には前記筆記体を含侵するインク充填部を内蔵し、
後端部には前記キャップ体の係合部が被嵌される被嵌部を設けて成り、
使用に際して、前記筆記体に形成される各筆記部のスライド方向又は形状によってセキュリティを必要とする文書情報を広範囲且つ一文字単位で塗り潰すことができることを特徴とするセキュリティ文書情報保護用ラインマーカー具。
【請求項２】
前記筆記体を構成する底面筆記部に、
先端部から後端部にかけて数条の溝を設けたことを特徴とする請求項１記載のセキュリティ文書情報保護用ラインマーカー具。
【発明の詳細な説明】
【技術分野】
【０００１】
本発明は、書類や郵便物などのセキュリティを必要とする文書情報を塗り潰して保護するラインマーカー具に関する。
【背景技術】
【０００２】
従来の書類や郵便物などのセキュリティを必用とする文書情報を保護する手段としては、電動式のシュレッターや、複数の切り刃を連接したハサミや、ポスターやポップチラシに使われる極太のマーカーペンや、印面に複雑な印面パターンを刻んで転写するスタンプ式ならびにローラー式の個人情報保護用スタンプなどが一般的に普及している。
【０００３】
しかしながら、上記の電動式のシュレッターにおいては、装置自体が大型で重量がある問題、収納ならびに設置スペースを必要とする問題、装置自体の構造が複雑である問題、購入価格が高額である問題、操作が面倒である問題、電気料金がかかる問題などの多くの問題があるものであった。
【０００４】
また、複数の切り刃を連接したハサミにおいては、例えば、「ハサミ型シュレッダ」（特許文献１参照）が提案されている。しかしながら、該提案は個人情報保護を必要とするスペース部分に対して多方向から切り込んで刻まなければならず、また、切り刻んだ後の切り屑を処理するのに手間が掛かるなどの問題があるものであった。
【０００５】
また、マーカーペンにおいては、文字書き用のマーカーペンの場合は、ペン先が文字書き用に細く尖っているため何度も往復させて塗り潰さなければならず面倒であったり、ポスターやポップチラシに使われる極太のマーカーペンの場合は、図３（ｂ）に示されるように、紙面に接触するペン先部の角が線接触状態で不安定であることから、ペン先への力の入れ具合によっては、かすれたり途切れたりする問題があるものであった。
【０００６】
また、印面に複雑な印画パターンを刻んで転写するスタンプ式ならびにローラー式の個人情報保護用スタンプにおいては、例えば、「スタンプ」（特許文献２参照）や、「スタンプ装置」（特許文献３参照）や、「回転式スタンプ」（特許文献４参照）などが提案されている。しかしながら、これらの提案の何れも、構造が複雑であるゆえに購入価格が高価であり、個人情報保護を必要とする文字が長文である場合は、何度も重ね押ししたり、文字列に沿ってなぞっていかなければならない問題があるものだった。また、複雑な印画パターンが刻まれて転写されたセキュリティ文書情報であっても、日常的に解読するには手間隙が掛かるものではあるが、綿密に分析すれば元の文書情報の解読は可能となる問題があるものであった。
【０００７】
本出願人は、以上のような従来のセキュリティを必用とする文書情報を保護する手段の問題点を解決するために、極太のマーカーペンの塗り潰し機能に着目し、該極太のペン先に形状の異なるテーパ面を形成し、さらにそのテーパ面を筆記面として利用することによって、セキュリティを必要とする文書情報を簡単に塗り潰すことができないものかとの着想の下、平面方形体の筆記体の上面と、底面と、側面の各面にテーパ状の筆記部（筆記面）を其々設け、該筆記部（筆記面）のスライド方向又は形状によってセキュリティを必要とする文書情報を広範囲且つ一文字単位で塗り潰すことができる塗り潰し専用のラインマーカー具を開発し、本発明の「セキュリティ文書情報保護用ラインマーカー具」の提案に至るものである。
【先行技術文献】
【特許文献】
【０００８】
【特許文献１】特開２００８-１１９３９６号公報
【特許文献２】特開２０１０-１７８８１号公報
【特許文献３】特開２０１１-８８３６１号公報
【特許文献４】特開２００９-２５５５１５号公報
【発明の概要】
【発明が解決しようとする課題】
【０００９】
本発明は上記問題点に鑑み、書類や郵便物などのセキュリティを必要とする文書情報を塗り潰して保護するセキュリティ文書情報保護用ラインマーカー具の提供を図る。
【課題を解決するための手段】
【００１０】
本発明のセキュリティ文書情報保護用ラインマーカー具は、書類や郵便物などのセキュリティを必要とする文書情報を保護する全体形状が平面方形体で形成される塗り潰し専用のラインマーカー具であって、前記ラインマーカー具は、キャップ体と、筆記体と、保持体と、で構成され、前記キャップ体は、開口部内側には前記保持体の係合受け部に係合する係合部を設けて成り、前記筆記体は、平面方形体を形成する上面と、底面と、側面と、が先端部に向かってテーパ状に縮形する上面筆記部と、底面筆記部と、側面筆記部と、を形成して成り、前記保持体は、先端部には前記筆記体を突設すると共に前記キャップ体に係合する係合受け部を設け、内側には前記筆記体を含侵するインク充填部を内蔵し、後端部には前記キャップ体の係合部が被嵌される被嵌部を設けて成り、使用に際して、前記筆記体に形成される各筆記部のスライド方向又は形状によってセキュリティを必要とする文書情報を広範囲且つ一文字単位で塗り潰すことができる手段を採る。
【００１１】
また、本発明のセキュリティ文書情報保護用ラインマーカー具は、前記筆記体を構成する底面筆記部に、先端部から後端部にかけて数条の溝を設けた手段を採る。
【発明の効果】
【００１２】
本発明のセキュリティ文書情報保護用ラインマーカー具によれば、少なくても１本のラインマーカーの筆記先で塗り潰し領域の異なるセキュリティを必要とする文書情報の塗り潰しができると共に、筆記部が面圧接触状態にあるため、塗り潰される塗り潰し領域Ｎが、かすれたり、途切れたりすることがなく安定して塗り潰すことができる優れた効果を奏する。
【００１３】
また、本発明のセキュリティ文書情報保護用ラインマーカー具によれば、インク液を使用した使い切りタイプのラインマーカー具とすることで、購入単価が廉価である上、収納性ならびに使い勝手が良い優れた効果を奏する。
【００１４】
また、本発明のセキュリティ文書情報保護用ラインマーカー具によれば、全体形状が平面方形体で形成される塗り潰し専用のラインマーカー具であることから、書類や郵便物などのセキュリティを必要とする文書情報を広範囲且つ一文字単位で容易に塗り潰すことができる優れた効果を奏する。
【図面の簡単な説明】
【００１５】
【図１】本発明における請求項１記載のセキュリティ文書情報保護用ラインマーカー具の全体を示す斜視図である。（実施例１）
【図２】本発明における請求項１記載のセキュリティ文書情報保護用ラインマーカー具の塗り潰し状態を示す説明図である。
【図３】本発明における請求項１記載のセキュリティ文書情報保護用ラインマーカー具の使用状態を示す説明図である。
【図４】本発明における請求項２記載のセキュリティ文書情報保護用ラインマーカー具の全体を示す斜視図である。（実施例２）
【図５】本発明における請求項２記載のセキュリティ文書情報保護用ラインマーカー具の塗り潰し状態を示す説明図である。
【発明を実施するための形態】
【００１６】
本発明のセキュリティ文書情報保護用ラインマーカー具は、書類や郵便物などのセキュリティを必要とする文書情報を保護する全体形状が平面方形体で形成される塗り潰し専用のラインマーカー具であって、該平面方形体を形成する上面と、底面と、側面と、が先端部に向かってテーパ状に縮形する上面筆記部と、底面筆記部と、側面筆記部を形成して、使用に際して、筆記体に形成される各筆記部のスライド方向又は形状によってセキュリティを必要とする文書情報を広範囲且つ一文字単位で塗り潰すことができることを最大の特徴とするもので、以下、実施例を図面に基づいて説明する。
【００１７】
また、本発明のセキュリティ文書情報保護用ラインマーカー具の筆記体の筆記幅寸法ならび形状は、下記に述べる実施例に特に限定されるものでなく、本発明の技術的思想に逸脱しない範囲で任意に変更することができる。また、明細書中に表現される筆記部のスライド方向は、図面の表示方向に対して説明しているもので、使用時においては塗り潰す文書情報の塗り潰し領域や文字列の方向に沿ってスライドするものである。
【実施例１】
【００１８】
図１は、本発明における請求項１記載のセキュリティ文書情報保護用ラインマーカー具の全体を示す斜視図である。
本発明のセキュリティ文書情報保護用ラインマーカー具１は、全体形状が平面方形体で形成されるキャップ体１０と、筆記体２０と、保持体３０で構成され、使用に際しては、各筆記部のスライド方向又は形状によってセキュリティを必要とする文書情報を広範囲且つ一文字単位で塗り潰すことができる塗り潰し専用のラインマーカー具である。
【００１９】
キャップ体１０は、合成樹脂素材で形成され、使用時は保持体３０の後端部に設けられる被嵌部３２に被嵌され、不使用時は保持体３０の先端部に設けられる係合受け部３１に係合されるものである。
【００２０】
筆記体２０は、フェルト素材等で形成され、平面方形体を形成する上面と、底面と、側面が、先端部に向かってテーパ状に縮形する上面筆記部２１と、底面筆記部２２と、側面筆記部２３を設けて形成されるものである。
【００２１】
保持体３０は、合成樹脂素材でケース状に形成され、先端部には筆記体２０を突設すると共に、キャップ体１０に係合する係合受け部３１を設け、内側には筆記体２０を含侵するインク充填部３３を内蔵し、後端部にはキャップ体１０の係合部１１が被嵌される被嵌部３２を設けて形成されるものである。
【００２２】
インク充填部３３は、塗り潰しに適したインク液が充填される内蔵タンクであって、筆記体２０のフェルト素材を含侵してインク液が補充されものである。該インク液は、プリンターで打ち出された色の濃い文字や、表面コート処理が施された伝票や、書類ならびに郵便物などのセキュリティを必要とする文書情報を保護することができる浸透性ならびに透過性の低いインク性能であることが好ましい。
【００２３】
図２は、本発明における請求項１記載のセキュリティ文書情報保護用ラインマーカー具の塗り潰し状態を示す説明図である。
【００２４】
図２（a）は、上面筆記部２１または底面筆記部２２を使った使用状態を示すものである。
図２（aa）は、筆記巾寸法Ｔが最大の上面筆記部２１または底面筆記部２２を使って縦方向又は横方向にスライドさせて塗り潰した状態を示すもので、広範囲に亘る塗り潰し領域Ｎのセキュリティを必要とする文書情報を一気に塗り潰すことができるものである。
【００２５】
図２（ab）は、上面筆記部２１または底面筆記部２２を使って縦方向又は横方向にスライドさせて塗り潰した状態を示すもので、長文のセキュリティを必要とする文書情報を１行単位で塗り潰すことができるものである。
【００２６】
図２（b）は、側面筆記部２３を使った使用状態を示すものである。
図２（ba）は、筆記巾寸法Ｔが数行単位の側面筆記部２３を使って縦方向又は横方向にスライドさせて塗り潰した状態を示すもので、長文のセキュリティを必要とする文書情報を数行単位で塗り潰すことができるものである。
【００２７】
図２（bb）は、側面筆記部２３を使ってスタンプ形状Ｓに押圧して塗り潰した状態を示すもので、１文字単位のセキュリティを必要とする文書情報をピンポイントで塗り潰すことができるものである。
【００２８】
図２（c）は、筆記体２０をスタンプ形状Ｓにした使用状態を示すものである。
図２（ca）は、正面部２４を使ってスタンプ形状Ｓに押圧して塗り潰した状態を示すもので、１行単位のセキュリティを必要とする文書情報を一定幅で塗り潰すことができるものである。
【００２９】
図２（cb）は、上面筆記部２１または底面筆記部２２を使ってスタンプ形状Ｓに押圧して塗り潰した状態を示すもので、１行単位のセキュリティを必要とする文書情報を一定幅で塗り潰すことができるものである。
【００３０】
図２（cc）は、側面筆記部２３を使ってスタンプ形状Ｓに押圧して塗り潰した状態を示すもので、１文字単位のセキュリティを必要とする文書情報をピンポイントで塗り潰すことができるものである。
【００３１】
図３は、本発明における請求項１記載のセキュリティ文書情報保護用ラインマーカー具の使用状態を示す説明図である。
図３（a）は、本発明のセキュリティ文書情報保護用ラインマーカー具の使用状態を示す説明図である。
上面筆記部２１と、底面筆記部２２と、側面筆記部２３のテーパ角度に合わせた筆記角度αで塗り潰し行うことによって、少なくても１本のラインマーカーで塗り潰し領域Ｎの形状の異なるセキュリティを必要とする文書情報を塗り潰すことができると共に、筆記部が面圧接触状態にあるため、塗り潰される塗り潰し領域Ｎが、かすれたり、途切れたりすることがなく安定して塗り潰すことができるものである。
【００３２】
図３（b）は、従来のラインマーカー具の使用状態を示す説明図である。
セキュリティを必要とする文書情報を極太のペン先部の稜線部Ｒを使って何度も往復して塗り潰すことができるが、ペン先部の稜線部Ｒが線接触状態で不安定であるため、ペン先への力の入れ具合によってかすれたり、途切れたりする問題があるものであった。
【実施例２】
【００３３】
図４は、本発明における請求項２記載のセキュリティ文書情報保護用ラインマーカー具の全体を示す斜視図である。
本発明のセキュリティ文書情報保護用ラインマーカー具１は、筆記体２０がフェルト素材等で形成され、該筆記体２０を構成する底面筆記部２２に、先端部から後端部にかけて数条の溝２５を設けて形成されるものである。
【００３４】
図５は、本発明における請求項２記載のセキュリティ文書情報保護用ラインマーカー具の塗り潰し状態を示す説明図である。
【００３５】
図５（a）は、上面筆記部２１を使った使用状態を示すものである。
図５（aa）は、筆記巾寸法Ｔが最大の上面筆記部２１を使って縦方向又は横方向にスライドさせて塗り潰した状態を示すもので、広範囲に亘る塗り潰し領域Ｎのセキュリティ文書情報を一気に塗り潰すことができるものである。
【００３６】
図５（ab）は、上面筆記部２１を使って縦方向又は横方向にスライドさせて塗り潰した状態を示すもので、長文のセキュリティを必要とする文書情報を１行単位で塗り潰すことができるものである。
【００３７】
図５（b）は、側面筆記部２３を使った使用状態を示すものである。
図５（ba）は、筆記巾寸法Ｔが数行単位の側面筆記部２３を使って縦方向又は横方向にスライドさせて塗り潰した状態を示すもので、長文のセキュリティを必要とする文書情報を数行単位で塗り潰すことができるものである。
【００３８】
図５（bb）は、側面筆記部２３を使ってスタンプ形状Ｓに押圧して塗り潰した状態を示すもので、１文字単位のセキュリティを必要とする文書情報をピンポイントで塗り潰すことができるものである。
【００３９】
図５（c）は、筆記体２０をスタンプ形状Ｓに押圧した使用状態を示すものである。
図５（ca）は、正面部２４を使ってスタンプ形状Ｓに押圧して塗り潰した状態を示すもので、１行単位のセキュリティを必要とする文書情報を一定幅で塗り潰すことができるものである。
【００４０】
図５（cb）は、上面筆記部２１または底面筆記部２２を使ってスタンプ形状Ｓに押圧して塗り潰した状態を示すもので、１行単位のセキュリティを必要とする文書情報を一定幅で塗り潰すことができるものである。
【００４１】
図５（cc）は、側面筆記部２３を使ってスタンプ形状Ｓに押圧して塗り潰した状態を示すもので、１文字単位のセキュリティを必要とする文書情報をピンポイントで塗り潰すことができるものである。
【００４２】
図５（d）は、底面筆記部２２を使った使用状態を示すものである。
図５（da）は、筆記体２０を構成する底面筆記部２２に、先端部から後端部にかけて数条の溝２５を設けたもので、溝２５を有する底面筆記部２２を使って縦方向又は横方向にスライドさせて塗り潰した状態を示すもので、広範囲に亘る塗り潰し領域Ｎのセキュリティを必要とする文書情報を行間を空けて一気に塗り潰すことができるものである。
【産業上の利用可能性】
【００４３】
本発明のセキュリティ文書情報保護用ラインマーカー具は、ポスターやチラシ制作において広範囲の塗り潰し領域を効率よく一気に塗り潰すことができる塗り潰し専用の多色ラインマーカー具としても利用できることから、本発明におけるセキュリティ文書情報保護用ラインマーカー具の産業上の利用可能性は大とするものと解する。
【符号の説明】
【００４４】
１    セキュリティ文書情報保護用ラインマーカー具
１０  キャップ体
１１  係合部
２０  筆記体
２１  上面筆記部
２２  底面筆記部
２３  側面筆記部
２４  正面部
２５  溝
３０  保持体
３１  係合受け部
３２  被嵌部
３３  インク充填部
Ｔ    筆記巾寸法
Ｓ    スタンプ形状
Ｎ    塗り潰し領域
Ｒ    稜線部
α    筆記角度
【図１】
2011183816.tif 000003
【図２】
2011183816.tif 000004
【図３】
2011183816.tif 000005
【図４】
2011183816.tif 000006
【図５】
2011183816.tif 000007